(57)【要約】【課題】壁に設けた含水材の水分を太陽光で気化させることによって建造物の内部を良好に冷却することができる壁の構造を提供する。【解決手段】本発明では、建造物（１）の壁（２）の構造において、外壁（４）と内壁（５）との間に保温材（１０）を収容した保温層（６）と含水材（１３）を収容した気化層（７）とを外壁側から順に形成するとともに、気化層（７）の含水材（１３）に水分を供給可能に構成することにした。また、本発明では、前記気化層（７）への水分の供給を断続可能とすることにした。さらに、本発明では、前記保温層（６）に太陽光を直接照射できるように前記外壁（４）を開閉可能とすることにした。【選択図】図１
2014118705.tif 000002
【特許請求の範囲】
【請求項１】
建造物の壁の構造において、
外壁と内壁との間に保温材を収容した保温層と含水材を収容した気化層とを外壁側から順に形成するとともに、気化層の含水材に水分を供給可能に構成したことを特徴とする建造物の壁構造。
【請求項２】
前記気化層への水分の供給を断続可能としたことを特徴とする請求項１に記載の建造物の壁構造。
【請求項３】
前記保温層に太陽光を直接照射できるように前記外壁を開閉可能としたことを特徴とする請求項１又は請求項２に記載の建造物の壁構造。
【発明の詳細な説明】
【技術分野】
【０００１】
本発明は、建造物の壁の構造に関するものである。
【背景技術】
【０００２】
家屋や建屋などの建造物の壁は、外壁と内壁との間に断熱材を収容して、建造物の内部がなるべく外気温度の影響を受けないような構造となっている。そして、建造物の内部は、冷房装置や暖房装置によって温度を調節するようにしている。
【０００３】
従来においては、夏場の冷房費用を低減できるように、建造物の壁自体を冷却する構造のものも開発されている。たとえば、特許文献１に開示された発明では、建造物の壁として外壁と内壁との間に含水部材を設け、含水部材に含浸させた水分を太陽光で気化させることで、建造物の壁を冷却して建造物の内部の温度を下げるようにしている。
【先行技術文献】
【特許文献】
【０００４】
【特許文献１】特開２００３−１３９４５１号公報
【発明の概要】
【発明が解決しようとする課題】
【０００５】
ところが、上記従来の建造物の壁構造では、単に外壁と内壁との間に含水部材を設けた構造となっているために、外壁に太陽光が直接照射されている部分だけしか含水部材の気化が良好に行われず、気化熱の生成にむらが生じて、建造物の内部の冷却効果が低減していた。
【０００６】
また、上記従来の建造物の壁構造では、太陽光が外壁に照射している間だけしか含水部材の気化が良好に行われないために、建造物の内部の冷却効果の持続が困難であった。
【０００７】
さらに、上記従来の建造物の壁構造では、夏場の冷却効果があっても、冬場の加温効果は期待できないものであった。
【課題を解決するための手段】
【０００８】
そこで、請求項１に係る本発明では、建造物の壁の構造において、外壁と内壁との間に保温材を収容した保温層と含水材を収容した気化層とを外壁側から順に形成するとともに、気化層の含水材に水分を供給可能に構成することにした。
【０００９】
また、請求項２に係る本発明では、前記請求項１に係る本発明において、前記気化層への水分の供給を断続可能とすることにした。
【００１０】
また、請求項３に係る本発明では、前記請求項１又は請求項２に係る本発明において、前記保温層に太陽光を直接照射できるように前記外壁を開閉可能とすることにした。
【発明の効果】
【００１１】
そして、本発明では、以下に記載する効果を奏する。
【００１２】
すなわち、本発明では、建造物の壁の構造において、外壁と内壁との間に保温材を収容した保温層と含水材を収容した気化層とを外壁側から順に形成するとともに、気化層の含水材に水分を供給可能に構成しているために、太陽光によって保温層を全体的に加熱し、この加熱された保温層で気化層が加熱されて気化熱を生成することになり、気化層で水分をむらなく気化させることができ、建造物の内部をむらなく均一かつ効率良く冷却することができる。
【００１３】
特に、気化層への水分の供給を断続可能とした場合には、夏場は気化層に水分を供給して冷却効果を発揮させることができ、冬場は気化層への水分の供給を断って気化層の含水材を断熱材として利用することで建造物の内部の加温効果を発揮させることができる。
【００１４】
また、保温層に太陽光を直接照射できるように外壁を開閉可能とした場合には、保温層の加熱を促進させることができ、建造物の内部の冷却効果や加温効果を向上させることができる。
【図面の簡単な説明】
【００１５】
【図１】本発明に係る建造物の壁構造を示す断面説明図。
【図２】同拡大断面説明図。
【発明を実施するための形態】
【００１６】
以下に、本発明に係る建造物の壁構造の具体的な構成について図面を参照しながら説明する。
【００１７】
図１及び図２に示すように、建造物１は、壁２を冷却する構造（壁構造）が設けられており、壁２を冷却することで建造物１の内部空間３を冷却するようになっている。
【００１８】
壁２は、建造物１の外周を覆う外壁４と内部空間３を覆う内壁５との間に、保温層６と気化層７とを外壁側から順に積層形成している。
【００１９】
外壁４は、板状のサイディング材で固定的に形成したものでもよいが、ここでは、左右に伸延させた帯状のサイディング部材８を上下に並べて配置するとともに、各サイディング部材８の上端部に左右に伸延させた回転軸９を取付け、全てのサイディング部材８を同時に上下に回動できるようにしている。これにより、外壁４は、サイディング部材８を下方へ回動させて保温層６の外側表面を閉塞した状態（図２中に実線で示す状態）と、サイディング部材８を上方へ回動させて保温層６の外側表面を開放した状態（図２中に一点鎖線で示す状態）とに姿勢変更できるようにしている。なお、保温層６の外側表面をサイディング部材８で閉塞した状態では、太陽光（太陽エネルギー）による熱が熱輻射でサイディング部材８を加熱し、そのサイディング部材８の熱が保温層６に熱伝導によって伝達され、一方、保温層６の外側表面を開放した状態では、太陽光が保温層６に直接照射されて太陽光の熱が熱輻射で保温層６を直接加熱することになる。
【００２０】
内壁５は、内装ボードの表面に壁紙や珪藻土などを貼着した構成となっている。内壁５は、熱伝導性を有していれば特に構成は限定されるものではない。
【００２１】
保温層６は、外壁４の内側にグラスウール等の保温材10を収容した構成となっている。保温材10は、太陽光の熱で加温され、その熱を保持する保温性を有しており、また、上下方向に通気性を有している。
【００２２】
気化層７は、内壁５と保温層６との間に内壁５及び保温層６に密着させて形成している。この気化層７は、プラスチック板等からなる一対の仕切11,12を内壁５と保温層６とにそれぞれ密着させ、一対の仕切11,12の間に水分を含浸させることができるグラスファイバー等の含水材13を収容している。ここで、仕切11,12は、熱伝導性を有し、透水性を有していない。なお、仕切11,12は、必ずしも設けなくてもよい。また、含水材13は、保温性を有しており、上下方向に通気性を有している。
【００２３】
また、気化層７は、含水材13の上部に散水管14を配置し、散水管14の下側面に散水孔15を形成している。この散水管14には、水分を供給するための水分供給機構16が接続されている。なお、散水孔15を一対の仕切11,12に向けて形成することで水分を仕切11,12に向けて直接噴霧するようにして水分を仕切11,12に沿って下方へ円滑に流下させるようにしてもよい。
【００２４】
水分供給機構16は、雨樋17に雨水貯留タンク18を接続し、雨水貯留タンク18にポンプ19を介してバランシングタンク20を接続し、バランシングタンク20に散水管14を接続している。
【００２５】
これにより、水分供給機構16は、雨水を雨水貯留タンク18に貯留するとともに、バランシングタンク20から所定量の雨水を散水管14へと供給し、散水管14の散水孔15から気化層７の含水材13に雨水を供給するようにしている。雨水の供給量や供給タイミングなどは適宜制御できるようになっている。なお、雨水貯留タンク18に冷却装置を設けたり、地下水や井戸水や水道水等の供給装置を設けてもよく、また、バランシングタンク20にスプリンクラー等の消火装置を接続してもよい。水分供給機構16は、気化層７の含水材13に水分を供給できれば上記構成に限定されるものではない。
【００２６】
建造物１の壁２は、以上に説明したように構成しており、保温層６では、太陽光の熱（熱輻射）で保温材10が加温されるとともに、その熱を保温材10で保持（蓄熱）し、気化層７では、水分供給機構16から供給された水分を含水材13に含浸させ、保温層６（保温材10）の熱で水分を気化し、その際に奪われる気化熱（熱伝導）によって内壁５を介して建造物１の内部空間３を冷却する。なお、保温層６や気化層７の内部では空気が加温されて上昇気流（対流）となって上方に移動し、保温層６や気化層７の温度を均一化するとともに、上方から外部に排出されるようにしている。保温層６や気化層７の厚みを上方へ向けて漸次拡大させることで上昇気流を円滑に移動・排出させるように構成してもよい。特に、一対の仕切11,12の間隔を上方へ向けて漸次拡幅させた場合には、水分供給機構16から供給された水分を含水材13の下部まで良好に供給することもできる。
【００２７】
以上に説明したように、上記建造物１は、外壁４と内壁５との間に保温材10を収容した保温層６と含水材13を収容した気化層７とを外壁側から順に形成するとともに、気化層７の含水材13に水分を供給可能な構成としている。
【００２８】
そのため、上記構成の建造物１では、太陽光によって保温層６を全体的に加熱し、この加熱された保温層６の熱で気化層７を全体的に均一に加熱することができる。これにより、上記建造物１では、気化層７の含水材13が加熱されて水分をむらなく均一に気化することができ、建造物１の内部空間３をむらなく均一かつ効率良く冷却することができる。
【００２９】
また、上記建造物１は、気化層７への水分の供給を断続可能な構成としている。
【００３０】
そのため、上記構成の建造物１では、夏場は気化層７に水分を供給して気化熱の生成による冷却効果を発揮させることができ、冬場は気化層７への水分の供給を断って気化層７の含水材13を断熱材として利用することで建造物１の内部の加温効果を発揮させることができ、一年間を通じて内部空間３を快適な状態とすることができる。
【００３１】
さらに、上記建造物１は、保温層６に太陽光を直接照射できるように外壁４を開閉可能な構成としている。
【００３２】
そのため、上記構成の建造物１では、外壁４を開放させて保温層６に太陽光を直接照射することで、保温層６の加熱を促進させることができ、建造物１の内部の冷却効果や加温効果をより一層向上させることができる。
【符号の説明】
【００３３】
１  建造物                            ２  壁
３  内部空間                          ４  外壁
５  内壁                              ６  保温層
７  気化層                            ８  サイディング部材
９  回転軸                            10  保温材
11,12  仕切                           13  含水材
14  散水管                            15  散水孔
16  水分供給機構                      17  雨樋
18  雨水貯留タンク                    19  ポンプ
20  バランシングタンク
【図１】
2014118705.tif 000003
【図２】
2014118705.tif 000004